(57)【要約】  空気調和システム１００は、室内機１に設けられ、室外機２と通信可能であり、室外機２から室外機２の種類を示す機種情報を取得する室外機対応通信部１１と、室内機１に設けられ、遠隔制御装置３と通信可能であり、遠隔制御装置３から機種情報の要求を示す要求信号を取得するリモートコントローラ対応通信部１２と、室内機１に設けられ、室外機２から送信された機種情報が取得されたか否かを判定する判定部１４と、室内機１に設けられ、判定部１４の判定結果に基づいて、要求に応答するか否かを判定する室内機制御部１５と、を備える。
2016151806.tif 000002
【特許請求の範囲】
【請求項１】
室内機に設けられ、室外機と通信可能であり、前記室外機から前記室外機の種類を示す機種情報を取得する室外機対応通信部と、
前記室内機に設けられ、遠隔制御装置と通信可能であり、前記遠隔制御装置から前記機種情報の要求を示す要求信号を取得するリモートコントローラ対応通信部と、
前記室内機に設けられ、前記室外機から送信された前記機種情報が取得されたか否かを判定する判定部と、
前記室内機に設けられ、前記判定部の判定結果に基づいて、前記要求に応答するか否かを判定する室内機制御部と、を備えることを特徴とする空気調和システム。
【請求項２】
前記判定部により前記機種情報が取得されたと判定後、前記室内機制御部は、前記要求に応答して、前記リモートコントローラ対応通信部に前記機種情報の送信を許可することを特徴とする請求項１に記載の空気調和システム。
【請求項３】
前記室内機に設けられ、前記機種情報を記憶する室内機記憶部を備え、
前記機種情報の取得は、前記室外機から送信された前記機種情報による前記室内機記憶部の前記機種情報の更新を含み、
前記判定部は、前記室内機記憶部の前記機種情報が更新されたか否かを判定し、
前記室内機制御部は、前記室内機記憶部に記憶されている更新後の前記機種情報の送信を許可することを特徴とする請求項２に記載の空気調和システム。
【請求項４】
前記室内機に設けられ、前記判定部の判定を無効化可能な無効化部を備え、
前記無効化部は、前記室内機記憶部の前記機種情報が更新されていないと判定されても、前記機種情報に基づいて、前記室内機記憶部に記憶されている更新前の前記機種情報を、前記リモートコントローラ対応通信部から送信させることを特徴とする請求項３に記載の空気調和システム。
【請求項５】
前記室内機に設けられ、前記判定部の判定を無効化可能な無効化部を備え、
前記無効化部は、前記室内機記憶部の前記機種情報が更新されていないと判定されても、前記機種情報に基づいて、前記室外機から送信され前記室外機対応通信部で受信した前記機種情報を、前記リモートコントローラ対応通信部から送信させることを特徴とする請求項３に記載の空気調和システム。
【請求項６】
前記室内機に設けられ、前記室内機と前記室外機との通信状態の異常の有無を検出する通信異常検出部と、
前記室内機に設けられ、前記判定部の判定を無効化可能な無効化部と、を備え、
前記無効化部は、通信状態の異常が検出されたとき、前記室内機記憶部の前記機種情報が更新されていないと判定されても、前記室内機記憶部に記憶されている更新前の前記機種情報を、前記リモートコントローラ対応通信部から送信させることを特徴とする請求項３に記載の空気調和システム。
【請求項７】
前記室内機制御部は、前記室内機と前記室外機との通信状態を示す通信状態情報を前記遠隔制御装置に送信し、
前記遠隔制御装置は、前記通信状態情報を表示する表示部を備えることを特徴とする請求項１から請求項６のいずれか一項に記載の空気調和システム。
【発明の詳細な説明】
【技術分野】
【０００１】
本発明は、室内機と室外機と遠隔制御装置とを備える空気調和システムに関する。
【背景技術】
【０００２】
空気調和システムにおいて、特許文献１に開示されているような、異なる機種の室外機と接続可能な室内機を有する空気調和システムが知られている。特許文献１は、室外機から汎用室内機に機種情報を送信し、汎用リモートコントローラから汎用室内機に運転操作指示信号を送信し、汎用室内機において機種情報と運転操作指示信号とを対比して汎用リモートコントローラの設定が室外機の機種に対応しているか否かを判断し、判断結果に基づいて報知を行う技術を開示する。
【先行技術文献】
【特許文献】
【０００３】
【特許文献１】特開２００８−０９６０８８号公報
【発明の概要】
【発明が解決しようとする課題】
【０００４】
遠隔制御装置と室内機とが双方向に通信可能である場合、室外機の機種情報は、室外機から室内機に送られた後、室内機から遠隔制御装置に送られる。誤った室外機の機種情報が室内機から遠隔制御装置に送られてしまうと、空調調和システムは、正しい室外機の機種情報に基づく空気調和を行うことができなくなる。【０００５】
本発明は、上記に鑑みてなされたものであって、異なる機種の室外機が室内機に接続される場合において、誤った室外機の機種情報が遠隔制御装置に送られることを抑制できる空気調和制御システムを得ることを目的とする。
【課題を解決するための手段】
【０００６】
上述した課題を解決し、目的を達成するために、本発明は、室内機に設けられ、室外機と通信可能であり、室外機から室外機の種類を示す機種情報を取得する室外機対応通信部と、室内機に設けられ、遠隔制御装置と通信可能であり、遠隔制御装置から機種情報の要求を示す要求信号を取得するリモートコントローラ対応通信部と、室内機に設けられ、室外機から送信された機種情報が取得されたか否かを判定する判定部と、室内機に設けられ、判定部の判定結果に基づいて、要求に応答するか否かを判定する室内機制御部と、を備えることを特徴とする。
【発明の効果】
【０００７】
本発明によれば、異なる機種の室外機が室内機に接続される場合において、誤った室外機の機種情報が遠隔制御装置に送られることを抑制できる、という効果を奏する。
【図面の簡単な説明】
【０００８】
【図１】実施の形態１に係る空気調和システムを示すブロック図
【図２】実施の形態１に係る制御回路を示す図
【図３】実施の形態１に係る空気調和システムの動作を示すフローチャート
【図４】実施の形態１に係る空気調和システムの動作を示す模式図
【図５】実施の形態２に係る空気調和システムを示すブロック図
【図６】実施の形態２に係る空気調和システムを示すフローチャート
【図７】実施の形態３に係る空気調和システムを示すフローチャート
【図８】実施の形態４に係る空気調和システムを示すブロック図
【図９】実施の形態５に係る表示部の動作を示す模式図
【図１０】実施の形態６に係る空気調和システムを示すブロック図
【発明を実施するための形態】
【０００９】
以下に、本発明の実施の形態に係る制御システムを図面に基づいて詳細に説明する。なお、この実施の形態によりこの発明が限定されるものではない。
【００１０】
実施の形態１．
図１は、実施の形態１に係る空気調和システム１００の一例を示すブロック図である。図１に示すように、空気調和システム１００は、室内機１と、室内機１と接続される室外機２と、室内機１を遠隔操作する遠隔制御装置３とを備えている。室内機１と室外機２とは、双方向に通信可能である。室内機１と遠隔制御装置３とは、双方向に無線通信可能である。室内機１は、汎用性を有し、異なる機種の室外機２と接続可能である。室内機１と接続可能な複数の室外機２は、それぞれ異なる機種情報を保有する。室外機２の機種情報とは、室外機２の固有情報であり、室外機２の種類を示す情報である。
【００１１】
室内機１は、室外機２と通信可能であり、室外機２から室外機２の機種情報を取得する室外機対応通信部１１と、遠隔制御装置３と通信可能であり、遠隔制御装置３から室外機２の機種情報の要求を示す要求信号を取得するリモートコントローラ対応通信部１２と、室外機２の機種情報を記憶する室内機記憶部１３と、室外機２から送信された室外機２の機種情報が取得されたか否かを判定する判定部１４と、判定部１４の判定結果に基づいて、遠隔操作装置３からの要求に応答するか否かを判定する室内機制御部１５と、を備える。
【００１２】
室外機２は、室外機２の機種情報を記憶する室外機記憶部２１と、室内機１と通信可能であり、室外機２の機種情報を送信する室外機通信部２２と、を備える。
【００１３】
遠隔制御装置３は、室内機１と通信可能であり、室内機１に室外機２の機種情報の送信を要求する要求信号を送信するリモートコントローラ通信部３１と、要求信号を生成するリモートコントローラ制御部３２と、室外機２の機種情報を記憶するリモートコントローラ記憶部３３と、ユーザに操作される操作部３４と、データを表示する表示部３５と、を備える。
【００１４】
室内機１は、室温サーミスタ及び管温サーミスタのようなセンサからの検出信号が入力されるセンサ入力部と、ファンモータ及びブザーのようなアクチュエータに制御信号を出力するアクチュエータ出力部とを備える。室内機制御部１５は、室内機１を制御する。室内機制御部１５は、センサ入力部に入力される検出信号、室外機２から供給される室外機運転条件データ、及び遠隔制御装置３から供給される操作信号に基づいて、アクチュエータを制御するための制御信号を出力する。
【００１５】
室外機対応通信部１１と室外機通信部２２とは、双方向通信する。室内機１は、室外機対応通信部１１を介して、冷房モード及び暖房モードのような運転モード、センサ入力値、ファンモータの風速の段数、及びフラップの風向位置の少なくとも一つを含む室内機運転条件を示す室内機運転条件データを室外機２に送信する。室内機１は、室内機運転条件が変更されると、室内機運転条件データを室外機２に送信する。室外機２は、室外機通信部２２を介して、圧縮機周波数、及び消費電力の少なくとも一つを含む室外機運転条件を示す室外機運転条件データを室内機１に送信する。
【００１６】
リモートコントローラ対応通信部１２とリモートコントローラ通信部３１とは、双方向通信する。遠隔制御装置３はマスタ機として機能し、室内機１はスレーブ機として機能する。リモートコントローラ制御部３２は、遠隔制御装置３を制御する。
【００１７】
操作部３４は、操作ボタンを含む。操作ボタンは、空気調和システム１００の運転のオン及びオフを切り替える運転スイッチ、冷房モード及び暖房モードのような運転モードを切り替える運転モードスイッチ、及び室内の温度を設定する温度設定スイッチを含む。操作部３４は、ユーザに操作される。ユーザにより操作部３４が操作されると、リモートコントローラ制御部３２は、操作信号を生成する。遠隔制御装置３は、リモートコントローラ通信部３１を介して、操作信号を室内機１に送信する。
【００１８】
表示部３５は、液晶表示装置を含む。表示部３５は、運転のオン及びオフを示す運転情報、運転モード、及び設定温度を表示する。また、表示部３５は、室外機２の機種情報を表示する。室外機２の機種情報は、室外機２から室内機１に送信された後、室内機１から遠隔制御装置３に送信される。例えば、室内機１に接続されている室外機２が冷房専用機種である場合、冷房専用であることを示す室外機２の機種情報が室外機２から室内機１を介して遠隔制御装置３に送信される。表示部３５は、室外機２が冷房専用機種であり、暖房運転が制限され冷房運転のみが実行できることを示す室外機２の機種情報を表示する。また、室内機１に接続されている室外機２が冷暖房兼用機種である場合、表示部３５は、室外機２が冷暖房兼用機種であり、冷房運転及び暖房運転の両方が実行できることを示す室外機２の機種情報を表示する。
【００１９】
室外機記憶部２１には、室外機２の固有情報である機種情報が記憶されている。室外機２の機種情報は、室外機通信部２２から室外機対応通信部１１に送信される。
【００２０】
室内機記憶部１３は、室外機２から送信された室外機２の機種情報を記憶する。室内機記憶部１３は、不揮発性メモリであり、室内機１の電源がオフになっても、室外機２の機種情報を保持し続ける。室内機１に接続される室外機２が変更され、変更後の室外機２から室外機２の機種情報が室内機１に送信されると、室内機記憶部１３に記憶されている機種情報は、更新される。
【００２１】
判定部１４は、室外機２から送信された室外機２の機種情報を室外機対応通信部１１が取得したか否かを判定する。また、判定部１４は、室内機１に接続される室外機２が変更されたとき、室内機記憶部１３に記憶されている室外機２の機種情報が更新されたか否かを判定する。
【００２２】
リモートコントローラ制御部３２は、室内機制御部１５に、室内機記憶部１３に記憶されている室外機２の機種情報の送信を要求する。リモートコントローラ制御部３２は、室外機２の機種情報が室内機１から送信されるまで、リモートコントローラ通信部３１から要求信号を一定周期で送信し続ける。
【００２３】
室内機制御部１５は、判定部１４の判定結果に基づいて、リモートコントローラ制御部３２からの要求に応答するか否かを判定する。要求に応答すると判定したとき、室内機制御部１５は、リモートコントローラ対応通信部１２に、室外機２の機種情報の送信を許可する。室内機制御部１５の許可の後、室内機記憶部１３に記憶されている室外機２の機種情報が、リモートコントローラ対応通信部１２からリモートコントローラ通信部３１に送信される。要求に応答しないと判定したとき、室内機制御部１５は、遠隔制御装置３に対する室外機２の機種情報の送信を禁止する。
【００２４】
図２は、室内機１の制御回路２００を示す図である。制御回路２００は、制御回路２００の外部からの情報が入力される入力回路及び情報を制御回路２００の外部へ出力する出力回路を含む入出力インターフェース回路２０１と、プロセッサ２０２と、メモリ２０３とを備える。入出力インターフェース回路２０１は、外部からの情報をメモリ２０３に送る。メモリ２０３にはコンピュータプログラムが記憶されている。プロセッサ２０２は、メモリ２０３に記憶されているコンピュータプログラムを読み出し、メモリ２０３に記憶されている情報に基づいて演算処理を行う。プロセッサ２０２による演算結果を示す演算結果情報は、メモリ２０３に送られる。入出力インターフェース回路２０１は、メモリ２０３に記憶されている情報を外部に送る。
【００２５】
入出力インターフェース回路２０１は、室外機対応通信部１１及びリモートコントローラ対応通信部１２を含む。プロセッサ２０２は、判定部１４及び室内機制御部１５を含む。メモリ２０３は、室内機記憶部１３を含む。
【００２６】
室外機２は、入出力インターフェース回路、プロセッサ、及びメモリを有する制御回路を備える。室外機２の入出力インターフェース回路は、室外機通信部２２を含み、室外機２のメモリは、室外機記憶部２１を含む。
【００２７】
遠隔制御装置３は、入出力インターフェース回路、プロセッサ、及びメモリを有する制御回路を備える。遠隔制御装置３の入出力インターフェース回路は、リモートコントローラ通信部３１を含み、遠隔制御装置３のプロセッサは、リモートコントローラ制御部３２を含み、遠隔制御装置３のメモリは、リモートコントローラ記憶部３３を含む。
【００２８】
次に、空気調和システム１００の動作について説明する。図３は、空気調和システム１００の動作を示すフローチャートである。図４は、空気調和システム１００の情報の送信状態を示す模式図である。
【００２９】
空気調和システム１００の電源がオフのとき、空気調和システム１００の作動は停止される。室内機記憶部１３は不揮発メモリであり、電源がオフされる前に室外機２から送信された室外機２の機種情報を記憶している。
【００３０】
電源がオンされる（ステップＳ１０）。電源がオンされると、室内機１、室外機２、及び遠隔制御装置３は、立ち上げ処理を行う（ステップＳ２０）。立ち上げ処理は、室内機１と室外機２との間の情報の通信、及び室内機１と遠隔制御装置３との間の情報の通信を含む。
【００３１】
室外機記憶部２１には、室外機２の種類を示す機種情報が記憶されている。また、室外機記憶部２１には、室外機２の機種情報のみならず、例えば、冷媒の種類を示す冷媒情報のような各種の情報が記憶されている。立ち上げ処理においては、室外機億部２１に記憶されている機種情報を含む各種の情報が室外機２から室内機１に送信される。
【００３２】
立ち上げ処理において、遠隔制御装置３は、室外機２の機種情報の送信を室内機１に要求する。また、遠隔制御装置３は、室外機２の機種情報のみならず、例えば、室内機１の種類を示す室内機情報のような各種の情報の送信を室内機１に要求する。
【００３３】
遠隔制御装置３から室内機１に、室外機２の機種情報の要求を示す要求信号が送信されると、室内機１のリモートコントローラ対応通信部１２は、遠隔制御装置３からの要求信号を取得する（ステップＳ３０）。
【００３４】
判定部１４は、室外機２から送信された室外機２の機種情報が室外機対応通信部１１に取得され、取得された室外機２の機種情報により、室内機記憶部１３に記憶されている室外機２の機種情報が更新されたか否かを判定する（ステップＳ４０）。
【００３５】
ステップＳ４０において、室外機２の機種情報が更新されていないと判定された場合（ステップＳ４０：Ｎｏ）、遠隔制御装置３からの要求信号の取得が継続される。図４に示すように、遠隔制御装置３は、要求信号を一定周期Ｔで送信し続ける。室内機１は、遠隔制御装置３から送信された要求信号の取得を継続する。
【００３６】
ステップＳ４０において、室外機２から送信された室外機２の機種情報が室外機対応通信部１１に取得され、室内機記憶部１３に記憶されている室外機２の機種情報が更新されたと判定された場合（ステップＳ４０：Ｙｅｓ）、室内機制御部１５は、遠隔制御装置３からの要求に応答して、リモートコントローラ対応通信部１２に、室内機記憶部１３に記憶されている更新後の室外機２の機種情報の送信を許可する（ステップＳ５０）。
【００３７】
送信を許可されたリモートコントローラ対応通信部１２は、室内機記憶部１３に記憶されている、更新後の室外機２の機種情報を送信する（ステップＳ６０）。
【００３８】
判定部１４により室外機２の機種情報が取得されたと判定されるまで、室外機２から遠隔制御装置３への室外機２の機種情報の送信は禁止される。図４に示すように、遠隔制御装置３は、室外機２の機種情報が室内機１から送信されるまで、要求信号を一定周期Ｔで送信し続ける。室外機２の機種情報が取得されたと判定部１４が判定した後の時点で、室内機制御部１５は、室内機１から遠隔制御装置３への室外機２の機種情報の送信を許可する許可信号を出力する。リモートコントローラ対応通信部１２は、室内機制御部１５から許可信号が出力された時点ｔ０の後の時点ｔ１で受信した要求信号に応答して、室外機２の機種情報を遠隔制御装置３に送信する。
【００３９】
遠隔制御装置３は、更新後の室外機２の機種情報を取得する。遠隔制御装置３は、取得した室外機２の機種情報に基づいて、操作部３４の設定処理を含む最適化処理を行う。以上により、立ち上げ処理が終了する。空調調和システム１００は、更新後の正しい室外機２の機種情報に基づいて、空気調和を適切に行うことができる。
【００４０】
以上のように、実施の形態１によれば、遠隔制御装置３から室内機１に対して室外機２の機種情報の送信の要求があった場合、室外機２から送信された室外機２の機種情報が室内機１に取得されたか否かが判定され、判定結果に基づいて、要求に応答するか否かが判定される。室外機２から送信された室外機２の機種情報が室内機１に取得されたと判定されるまで、遠隔制御装置３に対する室外機２の機種情報の送信が禁止され、室外機２の機種情報が室内機１に取得されたと判定された後、遠隔制御装置３に対する室外機２の機種情報の送信が許可される。そのため、室内機記憶部１３に記憶されている更新前の誤った室外機２の機種情報が遠隔制御装置３に送信されてしまうことが抑制され、更新後の正しい室外機２の機種情報が遠隔制御装置３に送信される。したがって、空調調和システム１００は、正しい室外機２の機種情報に基づいて、空気調和を適切に行うことができる。
【００４１】
また、リモートコントローラ制御部３２は、室内機１に接続されている室外機２が冷房専用機種である場合、正しい室外機２の機種情報に基づいて、暖房運転操作を不可能にする操作部３４の設定処理を行うことができる。また、リモートコントローラ制御部３２は、室内機１に接続されている室外機２が冷暖房兼用機種である場合、正しい室外機２の機種情報に基づいて、冷房運転操作及び暖房運転操作の両方を実行可能にする操作部３４の設定を行うことができる。
【００４２】
また、リモートコントローラ制御部３２は、室内機１に接続されている室外機２が冷房専用機種である場合、正しい室外機２の機種情報に基づいて、室外機２が冷房専用機種であり、暖房運転が制限され冷房運転のみが実行できることを示す表示データを表示部３５に表示させることができる。また、リモートコントローラ制御部３２は、室内機１に接続されている室外機２が冷暖房兼用機種である場合、正しい室外機２の機種情報に基づいて、室外機２が冷暖房兼用機種であり、冷房運転及び暖房運転の両方が実行できることを示す表示データを表示部３５に表示させることができる。
【００４３】
このように、正しい室外機２の機種情報が遠隔制御装置３に送信されることにより、操作部３４及び表示部３５を含む遠隔制御装置３のユーザインタフェースが適切に設定される。
【００４４】
なお、図３及び図４を参照して説明した空気調和システム１００の動作は、電源をオンした後の立ち上げ処理で実行され、立ち上げ処理後の空気調和システム１００の運転中においては行われなくてもよい。
【００４５】
実施の形態２．
図５は、実施の形態２に係る空気調和システム１００Ａを示すブロック図である。空気調和システム１００Ａは、実施の形態１の空気調和システム１００に、判定部１４の判定を無効化可能な無効化部１６を設けた構成を有する。無効化部１６は、室内機１に設けられる。
【００４６】
図６は、空気調和システム１００Ａの動作を示すフローチャートである。空気調和システム１００Ａに電力を供給可能な電源がオンされ（ステップＳ１０Ｂ）、立ち上げ処理が行われる（ステップＳ２０Ｂ）。遠隔制御装置３から要求信号が送信され、室内機１のリモートコントローラ対応通信部１２は、遠隔制御装置３からの要求信号を取得する（ステップＳ３０Ｂ）。判定部１４は、室外機２から送信された室外機２の機種情報が室外機対応通信部１１に取得され、取得された室外機２の機種情報により、室内機記憶部１３に記憶されている室外機２の機種情報が更新されたか否かを判定する（ステップＳ４０Ｂ）。
【００４７】
無効化部１６は、判定部１４の判定を無効化する（ステップＳ４５Ｂ）。
【００４８】
無効化部１６は、判定部１４により室内機記憶部１３の室外機２の機種情報が更新されていないと判定されても、室外機２の機種情報に基づいて、室内機記憶部１３に記憶されている更新前の室外機２の機種情報をリモートコントローラ対応通信部１２から遠隔制御装置３に送信させる（ステップＳ６０Ｂ）。
【００４９】
以上のように、判定部１４の判定を待つことなく、遠隔制御装置３からの要求信号を取得した時点で、室内機１は、室内機記憶部１３に記憶されている更新前の室外機２の機種情報を遠隔制御装置３に送信する。室外機２から室内機１に対する室外機２の機種情報の送信及び判定部１４による判定を待たずに室外機２の機種情報が送信されるので、立ち上げ処理は短時間で終了する。
【００５０】
室内機１に接続される室外機２が一機種に決まっている場合、室外機２から室内機１に対する室外機２の機種情報の送信及び判定部１４による判定を待つ必要が無い。そのため、既に室内機記憶部１３に記憶されている更新前の室外機２の機種情報を遠隔制御装置３に送信しても、遠隔制御装置３は、正しい室外機２の機種情報に基づいて、操作部３４の設定及び表示部３５の表示を行うことができる。また、空気調和システム１００Ａは、正しい室外機２の機種情報に基づいて、空気調和を適切に行うことができる。
【００５１】
実施の形態３．
図７は、実施の形態３に係る空気調和システム１００Ａの動作を示すフローチャートである。実施の形態３では、実施の形態２と同一構成の空気調和システム１００Ａにおいて、無効化部１６により、室外機２から送信され室外機対応通信部１１で受信した室外機２の機種情報を、リモートコントローラ対応通信部１２から送信させるときの空気調和システム１００Ａの動作について説明する。
【００５２】
空気調和システム１００Ａの電源がオンされ（ステップＳ１０Ｃ）、立ち上げ処理が行われる（ステップＳ２０Ｃ）。遠隔制御装置３から要求信号が送信され、室内機１のリモートコントローラ対応通信部１２は、遠隔制御装置３からの要求信号を取得する（ステップＳ３０Ｃ）。判定部１４は、室外機２から送信された室外機２の機種情報が室外機対応通信部１１に取得され、取得された室外機２の機種情報により、室内機記憶部１３に記憶されている室外機２の機種情報が更新されたか否かを判定する（ステップＳ４０Ｃ）。
【００５３】
無効化部１６は、判定部１４の判定を無効化する（ステップＳ４５Ｃ）。
【００５４】
無効化部１６は、判定部１４により室内機記憶部１３の室外機２の機種情報が更新されていないと判定されても、室外機２の機種情報に基づいて、室外機２から送信され室外機対応通信部１１で受信した室外機２の機種情報を、リモートコントローラ対応通信部１２から送信させる（ステップＳ６０Ｃ）。
【００５５】
以上のように、室内機記憶部１３の更新処理及び判定部１４の判定を待つことなく、遠隔制御装置３からの要求信号を取得した時点で、室内機１は、室外機２から送信された室外機２の機種情報を、ダイレクトに遠隔制御装置３に送信する。室内機記憶部１３の更新及び判定部１４による判定を待たずに室外機２の機種情報が送信されるので、立ち上げ処理は短時間で終了する。
【００５６】
室内機１に接続される室外機２が一機種に決まっている場合、室内機記憶部１３の更新及び判定部１４による判定を待つ必要が無い。そのため、立ち上げ処理において室外機２から室内機１に送信された室外機２の機種情報をダイレクトに遠隔制御装置３に送信しても、遠隔制御装置３は、正しい室外機２の機種情報に基づいて、操作部３４の設定及び表示部３５の表示を行うことができる。また、空気調和システム１００Ａは、正しい室外機２の機種情報に基づいて、空気調和を適切に行うことができる。
【００５７】
実施の形態４．
図８は、実施の形態４に係る空気調和システム１００Ｂを示すブロック図である。空気調和システム１００Ｂは、実施の形態２及び実施の形態３の空気調和システム１００Ａに、室内機１と室外機２との通信状態の異常の有無を検出する通信異常検出部１７を設けた構成を有する。通信異常検出部１７は、室内機１に設けられる。
【００５８】
通信異常検出部１７は、例えば誤配線又は断線に起因する室内機１と室外機２との通信状態の異常を検出する。通信異常検出部１７の検出信号は、無効化部１６に出力される。
【００５９】
次に、空気調和システム１００Ｂの動作について説明する。空気調和システム１００Ｂの電源がオンされ、立ち上げ処理が行われる。遠隔制御装置３から室内機１に要求信号が送信され、室内機１のリモートコントローラ対応通信部１２は、遠隔制御装置３からの要求信号を取得する。判定部１４は、室外機２から送信された室外機２の機種情報が室外機対応通信部１１に取得され、取得された室外機２の機種情報により、室内機記憶部１３に記憶されている室外機２の機種情報が更新されたか否かを判定する。
【００６０】
室内機１と室外機２との通信状態が異常な場合、通信異常検出部１７は、通信状態の異常を検出する。通信異常検出部１７は、電源がオンの後、室外機対応通信部１１が室外機２からの機種情報を決められた時間以上受信できないと判定したとき、通信状態が異常であると判定し、異常を示す検出信号を無効化部１６に出力する。
【００６１】
無効化部１６は、通信状態の異常が検出されたとき、室内機記憶部１３の室外機２の機種情報が更新されていないと判定されても、室内機記憶部１３に記憶されている更新前の室外機２の機種情報を、リモートコントローラ対応通信部１２から遠隔制御装置３に送信させる。無効化部１６は、通信状態が異常であることを示す検出信号を受信した時点の後に受信した要求信号に基づいて、室外機２の機種情報を遠隔制御装置３に送信させる。
【００６２】
室内機１と室外機２との通信状態が異常であり、室外機２から室内機１に室外機２の機種情報の送信が困難な状況においては、判定部１４による判定を行うことができず、立ち上げ処理が終了しない可能性がある。通信異常検出部１７により通信状態の異常が検出されたとき、無効化部１６は、室内機記憶部１３に記憶されている更新前の室外機２の機種情報を、リモートコントローラ対応通信部１２から遠隔制御装置３に送信させる。これにより、立ち上げ処理が進行し、終了する。
【００６３】
実施の形態５．
図９は、実施の形態５に係る遠隔制御装置３の表示部３５の動作を示す模式図である。室内機制御部１５は、室内機１と室外機２との通信状態を示す通信状態情報を遠隔制御装置３に送信する。表示部３５は、通信状態情報を表示する。室内機１と室外機２との通信状態が異常である場合、表示部３５は、通信状態が異常であることを示す異常データを表示する。
【００６４】
また、表示部３５は、室内機１及び室外機２が立ち上げ処理中であり、室内機１が室外機２から室外機２の機種情報を取得中であることを示す処理データを表示することができる。
【００６５】
以上のように、表示部３５が、室内機１と室外機２との通信状態情報を表示することで、ユーザは、通信状態を把握することができる。
【００６６】
実施の形態６．
図１０は、実施の形態６に係る空気調和システム１００Ｃを示すブロック図である。空気調和システム１００Ｃの遠隔制御装置３Ｃは、スマートファンのような携帯端末４と通信可能な入出力インターフェースを含む。遠隔制御装置３Ｃは、ルータ、モデム、及び無線ローカルエリアネットワークアダプタを含み、ユーザは、携帯端末４を操作することにより、遠隔制御装置３Ｃを介して、室内機１を操作することができる。立ち上げ処理において、遠隔制御装置３Ｃから室内機１に要求信号が送信される。室内機１は、遠隔制御装置３Ｃに室外機２の機種情報を送信する。
【００６７】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００６８】
１  室内機、２  室外機、３，３Ｃ  遠隔制御装置、４  携帯端末、１１  室外機対応通信部、１２  リモートコントローラ対応通信部、１３  室内機記憶部、１４  判定部、１５  室内機制御部、１６  無効化部、１７  通信異常検出部、２１  室外機記憶部、２２  室外機通信部、３１  リモートコントローラ通信部、３２  リモートコントローラ制御部、３３  リモートコントローラ記憶部、３４  操作部、３５  表示部、１００，１００Ａ，１００Ｂ，１００Ｃ  空気調和システム。
【図１】
2016151806.tif 000003
【図２】
2016151806.tif 000004
【図３】
2016151806.tif 000005
【図４】
2016151806.tif 000006
【図５】
2016151806.tif 000007
【図６】
2016151806.tif 000008
【図７】
2016151806.tif 000009
【図８】
2016151806.tif 000010
【図９】
2016151806.tif 000011
【図１０】
2016151806.tif 000012
【国際調査報告】
2016151806.tif 000013
2016151806.tif 000014
2016151806.tif 000015
2016151806.tif 000016